(57)【要約】【課題】表示用透光窓と筐体との間に流れ込んだ静電気が表示用透光窓に形成された金属加飾層を変色させたり、表示部に静電気が流れ込んで表示部を破損させることを防止する。【解決手段】表示部１５の表示面１５ａと対向する筐体表面側に凹部３３を備えると共に、凹部底面３３ａの一部に前記表示面１５を外部に露出させる開口部３４を備え、この凹部３３内に取着される表示用透光窓４０の前記凹部底面３３ａと対向する裏面に金属加飾層４１を備えた携帯電子機器において、前記凹部底面３３ａを構成する壁部３６に筐体３内へ貫通する連通孔３７を形成すると共に、前記壁部３６の凹部底面３３ａと反対側の内壁面側に前記回路基板５１のグランド導体と電気的に接続された導電部４４を配する。【選択図】図２
2005322994.tif 000002
【特許請求の範囲】
【請求項１】
表示部と回路基板とを筐体内に備え、前記表示部の表示面と対向する筐体表面側に凹部を備えると共に、該凹部底面の一部に前記表示面を外部から視認する開口部を備え、前記凹部内には表示用透光窓を取着し、且つ当該表示用透光窓の前記凹部底面と対向する裏面に金属加飾層を備えた携帯電子機器において、前記凹部底面を構成する壁部に筐体内へ貫通する連通孔を形成すると共に、前記壁部の凹部底面と反対側の内壁面側に前記回路基板のグランド導体と電気的に接続された導電部を配したことを特徴とする携帯電子機器。
【請求項２】
前記表示部はホルダー内に収容された状態で前記筐体内に配置され、前記導電部は前記ホルダー外周に配された金属薄板であることを特徴とする請求項１に記載の携帯電子機器。
【発明の詳細な説明】
【技術分野】
【０００１】
本発明は、筐体内に表示部を備えると共に、筐体表面に前記表示部を保護する表示用透光窓を備えた、携帯電話機やＰＤＡ（Personal Digital Assistants）等の携帯電子機器に関するものである。
【背景技術】
【０００２】
従来の携帯電子機器として、図６に一般的な携帯電話機の一例を示すように、この携帯電話機７１は、複数の操作キー８６及びマイクロフォン８７を備えた操作部側筐体７２と、表示部８５及びスピーカ８４を備えた表示部側筐体７３とからなり、両筐体７２，７３はヒンジ部７４を介して折り畳むことができるようになっていた。
【０００３】
また、表示部側筐体７３に設けられる表示部８５は、図７に示すような取付構造にて搭載されるようになっていた（特許文献１参照）。
【０００４】
表示部側筐体７３は、樹脂や金属により形成されたフロント側ケース６１とリア側ケース６２とを組み付けて一体化したもので、フロント側ケース６１の表面には凹部６３を有すると共に、この凹部底面６３ａの一部には筐体７３内と連通する開口部６４が形成されている。
【０００５】
そして、表示部８５は、ホルダー６５内に収容された状態で表示部側筐体７３内に配置された回路基板６６上に搭載されており、表示部８５の表示面８５ａが開口部６４に面するようになっていた。
【０００６】
また、ホルダー６５の外周には、側面から頂面にわたって金属薄板６７が配置されており、この金属薄板６７は回路基板６６上のグランド導体（不図示）と電気的に接続させることで、表示部８５周りに発生した静電気を逃がすようになっていた。
【０００７】
さらに、凹部底面６３ａを形成する壁部６８とホルダー６５との間には、開口部６４の周囲を囲むように設けられた緩衝材６９が設けられ、表示部８５が表示部側筐体７３内に搭載された状態では、緩衝材６９を変形させた状態で保持されるようになっていた。
【０００８】
そして、フロント側ケース６１に形成された凹部６３内には、表示部８５のガラスパネルを保護するために表示用透光窓８０が取着されており、表示用透光窓８０と凹部底面６３ａとは両面接着テープ９０を介して貼り付けるようになっていた。なお、表示用透光窓８０の両面接着テープ９０を貼り付ける部位には金属蒸着等により形成した金属加飾層８１を設けてあり、外部より視認したときに両面接着テープ９０を覆い隠すようになっていた。
【特許文献１】特開２０００−３０７２５８号公報
【発明の開示】
【発明が解決しようとする課題】
【０００９】
しかしながら、表示用透光窓８０の近傍で静電気が発生すると、表示用透光窓８０や壁部６８の表面を伝って静電気が流れ込むことがあり、この際、金属加飾層８１を部分的に変色させるため、表示用透光窓８０の外観品質が低下するといった課題があった。
【００１０】
また、表示用透光窓８０と壁部６８との間に流れ込んだ静電気は、壁部６８の端部から表示部８５へ流れ込む恐れもあり、この場合、表示部８５のドライバー等を破損させる恐れもあった。
【課題を解決するための手段】
【００１１】
そこで、上記事情に鑑み、本発明は、表示部と回路基板とを筐体内に備え、前記表示部の表示面と対向する筐体表面側に凹部を備えると共に、該凹部底面の一部に前記表示面を外部に露出させる開口部を備え、前記凹部内には表示用透光窓を取着し、且つ当該表示用透光窓の前記凹部底面と対向する裏面に金属加飾層を備えた携帯電子機器において、前記凹部底面を構成する壁部に筐体内へ貫通する連通孔を形成すると共に、前記壁部の凹部底面と反対側の内壁面側に前記回路基板のグランド導体と電気的に接続された導電部を配したことを特徴とする。
【００１２】
また、前記携帯電子機器は、表示部をホルダー内に収容した状態で前記筐体内に配置すると共に、前記導電部は前記ホルダー外周に配された金属薄板により形成することが好ましい。
【発明の効果】
【００１３】
本発明によれば、表示用透光窓を取着する凹部底面に連通孔を設け、凹部底面を構成する壁部の内壁面側に、回路基板のグランド導体と電気的に接続された導電部を配したことから、表示用透光窓と凹部との間に静電気が流れ込んだとしても連通孔を介して回路基板のグランド導体に逃がすことができるため、表示用透光窓に設けられた金属加飾層を変色させたり、表示部に静電気が流れ込むことを低減でき、表示用透光窓の外観不良や表示部の破損を抑えることができる。
【発明を実施するための最良の形態】
【００１４】
以下、本発明の実施形態について説明する。
【００１５】
図１は本発明の携帯電子機器として携帯電話機に適用した例を示す斜視図であり、この携帯電話機１は、複数の操作キー１６及びマイクロフォン１７を備えた操作部側筐体２と、表示部１５及びスピーカ１４を備えた表示部側筐体３とからなり、両筐体２，３はヒンジ部４を介して折り畳むことができるようになっている。
【００１６】
表示部側筐体３は、図２及び図３に示すように、フロント側ケース３１とリア側ケース３２とからなり、フロント側ケース３１の表面には矩形状をした凹部３３を有すると共に、この凹部底面３３ａの一部に矩形状の開口部３４を形成してある。そして、開口部３４と対向する表示部側筐体３内に、矩形板状をした液晶表示装置等の表示部１５を収容するようになっている。
【００１７】
また、開口部３４を除いた凹部底面３３ａをなす壁部３６には両面接着テープ５０を介して表示用透光窓４０を固着するようになっている。
【００１８】
表示用透光窓４０の凹部底面３３ａと対向する裏面には、蒸着や印刷等により形成された金属膜（アルミニウムや銀等）からなる金属加飾層４１を形成してあり、表示用透光窓４０を凹部３３内に取着した際、両面接着テープ５０が外部より視認されないように覆うと共に、表示面１５ａの周囲に金属光沢等の装飾性を与えるようになっている。
【００１９】
表示部１５は、プラスチック材料等からなるホルダー４３内に収容された状態で筐体３内に設けられた回路基板５１上に搭載されている。また、ホルダー４３の外周には、その側面から頂面にわたってステンレス、リンセイ銅、銅、アルミニウムあるいはその合金からなる金属薄板（導電部）４４を貼り付けてあり、金属薄板４４は回路基板５１上のグランド導体（不図示）と電気的に接続されるようになっている。
【００２０】
そして、壁部３６とホルダー４３の頂部との間には開口部３４の周囲を囲むようにスポンジ、ゴム等からなる緩衝材４５を配置してあり、表示部１５を筐体３内に搭載した際には、緩衝材４５はホルダー４３によって押圧されて変形した状態で保持されると共に、ホルダー４３の頂面に配された金属薄板４４は、壁部３６の近傍に配置されることになる。その為、表示面１５ａと表示用透光窓４０との間に塵埃や水分等が侵入することを防止できると共に、携帯電話機１を落下させた際の衝撃を吸収し、表示部１５の破損を防止することができる。
【００２１】
また、壁部３６には、図２乃至図４に示すように、凹部底面３３ａから筐体３内に貫通する複数の連通孔３７を所定の間隔Ｍをおいて形成してある。この連通孔３７は、表示用透光窓４０の近傍で発生した静電気を逃がすためのもので、表示用透光窓４０と凹部３３との間を通って入り込んだ静電気は連通孔３７によって導電性を有する金属薄板４４へ逃げ易くなる。即ち、これまで表示用透光窓４０や凹部３３の表面を伝って入り込んだ静電気は、壁部３６の端部を通って凹部底面３３ａと反対側の内壁面側にまで回り込むため、静電気が通った部分の金属加飾層４１が部分的に変色するといった問題が発生していたが、本発明によれば、壁部３６に連通孔３７を設けることで静電気が通る道筋を変更し、静電気が壁部３６の端部を伝って内壁面側へ回り込むことなく直ちにホルダー４３の頂面に配した金属薄板４４へ逃がすことができるため、金属加飾層４１の変色を抑えることができ、金属光沢等の装飾性を損なうことがない。
【００２２】
ところで、このような効果を奏するためには、壁部３６に形成する連通孔３７を凹部側面３３ｂ近くに設けることが好ましく、このように配置することで表示用透光窓４０と凹部３３との間に入り込んだ静電気を直ちに金属薄板４４へ逃がし、表示用透光窓４０の裏面や凹部底面３３ａに静電気が流れないようにすることができるため、金属加飾層４１の変色をより効果的に抑えることができる。
【００２３】
また、連通孔３７を形成する間隔Ｍとしては、図５に示すように、凹部側面３３ｂより壁部３６の端部を伝って凹部底面３３ａと反対側の内壁面にまで回り込み金属薄板４４に至るまでの距離Ｌより短い範囲で形成することが好ましい。なぜなら、表示用透光窓４０と凹部３３との間に入り込んだ静電気はできるだけ近くにある導電部材に逃げ易いため、連通孔３７を形成したとしても、その間隔Ｍが壁部３６の端部を伝って回り込む距離Ｌよりも長くなると、連通孔３７を介して静電気を逃がすことができない恐れがあるからである。
【００２４】
なお、壁部３６には複数の連通孔３７を形成することになるが、壁部３６と対向する表示用透光窓４０の裏面には金属加飾層４１を設けてあるため、外部より見たときに連通孔３７は金属加飾層４１により覆われ、視認することがないため、外観デザインにおいて支障をきたすことがない。
【００２５】
また、連通孔３７の内面に金属膜を被着したり、連通孔３７内に金属体を充填するようにしても良く、この場合、静電気をより逃がし易くできるため、好ましい。
【００２６】
以上、本発明の実施形態について示したが、本発明は本実施形態で開示した構造に限定されるものではなく、本発明の要旨を逸脱しない範囲で、改良や変形したものにも適用することができる。
【００２７】
例えば、凹部底面３３ａと反対側の内壁面側に配する導電部として、表示部１５を収容するホルダー４３の頂面に配した金属薄板４４を用いた例を示したが、筐体３の内壁に回路基板５１と電気的に接続された金属薄板を配しておき、この金属薄板の一部を壁部３６の内壁面側にまで延設するようにしたものであっても良く、少なくとも回路基板５１のグランド導体と電気的に接続された導電部を、壁部３６の内壁面側であって連通孔３７の近傍に配置してあればかまわない。
【図面の簡単な説明】
【００２８】
【図１】本発明の携帯端末装置の一例である携帯電話機を示す斜視図である。
【図２】図1の携帯電話機をＸ−Ｘ線で破断した表示部の取付状態を示す斜視図である。
【図３】図1の携帯電話機をＸ−Ｘ線で破断した拡大断面図である。
【図４】連通孔の配置状態の一例を示す平面図である。
【図５】図３のＡ部を拡大した断面図である。
【図６】従来の携帯電話機を示す斜視図である。
【図７】図６の携帯電話機をＹ−Ｙ線で破断した部分拡大断面図である。
【符号の説明】
【００２９】
１，７１        携帯電話機（携帯電子機器）
２，７２        操作部側筐体
３，７３        表示部側筐体
４，７４        ヒンジ部
１４，８４      スピーカ
１５，８５      表示部
１５ａ，８５ａ  表示面
１６，８６      操作キー
１７，８７      マイクロフォン
３１，６１      フロント側ケース
３２，６２      リア側ケース
３３，６３      凹部
３３ａ，６３ａ  凹部底面  
３３ｂ          凹部側面
３４，６４      開口部
３６，６５      壁部
３７，６７      連通孔
４０，８０      表示用透光窓
４１，８１      金属加飾層
４３，６５      ホルダー
４４，８１      金属薄板（導電部）
４５，６９      緩衝材
５０，９０      両面接着テープ
５１，６６      回路基板
【図１】
2005322994.tif 000003
【図２】
2005322994.tif 000004
【図３】
2005322994.tif 000005
【図４】
2005322994.tif 000006
【図５】
2005322994.tif 000007
【図６】
2005322994.tif 000008
【図７】
2005322994.tif 000009